(57)【要約】【課題】小型で、高い光学性能を有する変倍光学系、光学装置、変倍光学系の製造方法を提供する。【解決手段】物体側から順に、正の第１レンズ群Ｇ１と、負の第２レンズ群Ｇ２と、正の第３レンズ群Ｇ３と、正の第４レンズ群Ｇ４とを有し、広角端状態から望遠端状態への変倍時に、第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔が変化し、所定の条件式を満足するレンズを少なくとも１つ有する。【選択図】図１
2020034955.tif 000002
【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態への変倍時に、前記第１レンズ群と前記第２レンズ群との間隔、前記第２レンズ群と前記第３レンズ群との間隔、及び前記第３レンズ群と前記第４レンズ群との間隔が変化し、
以下の条件式を満足するレンズを少なくとも１つ有することを特徴とする変倍光学系。
１．９２８ ＜ ｎｄｈ
２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【請求項２】
前記第１レンズ群が前記レンズを少なくとも１つ有することを特徴とする請求項１に記載の変倍光学系。
【請求項３】
以下の条件式を満足することを特徴とする請求項１又は請求項２に記載の変倍光学系。
５．５０ ＜ ｆ１／（−ｆ２） ＜ １５．００
但し、
ｆ１：前記第１レンズ群の焦点距離
ｆ２：前記第２レンズ群の焦点距離
【請求項４】
以下の条件式を満足することを特徴とする請求項１から請求項３のいずれか一項に記載の変倍光学系。
０．２２０ ＜ （−ｆ２）／ｆ３ ＜ ０．５３０
但し、
ｆ２：前記第２レンズ群の焦点距離
ｆ３：前記第３レンズ群の焦点距離
【請求項５】
前記第１レンズ群が以下の条件式を満足する前記レンズを少なくとも１つ有することを特徴とする請求項１から請求項４のいずれか一項に記載の変倍光学系。
０．４５０ ＜ ｜ｆｈ／ｆ１｜ ＜ １．４００
但し、
ｆｈ：前記第１レンズ群中の前記レンズの焦点距離
ｆ１：前記第１レンズ群の焦点距離
【請求項６】
前記第４レンズ群が前記レンズを少なくとも１つ有することを特徴とする請求項１から請求項５のいずれか一項に記載の変倍光学系。
【請求項７】
前記第２レンズ群が前記レンズを少なくとも１つ有することを特徴とする請求項１から請求項６のいずれか一項に記載の変倍光学系。
【請求項８】
前記第３レンズ群が前記レンズを少なくとも１つ有することを特徴とする請求項１から請求項７のいずれか一項に記載の変倍光学系。
【請求項９】
前記第１レンズ群が負の屈折力を有する前記レンズを少なくとも１つ有することを特徴とする請求項１から請求項８のいずれか一項に記載の変倍光学系。
【請求項１０】
前記第４レンズ群が負の屈折力を有する前記レンズを少なくとも１つ有することを特徴とする請求項１から請求項９のいずれか一項に記載の変倍光学系。
【請求項１１】
前記第４レンズ群が以下の条件式を満足する前記レンズを少なくとも１つ有することを特徴とする請求項１から請求項１０のいずれか一項に記載の変倍光学系。
３１．６０ ＜ νｄｈ４
但し、
νｄｈ４：前記第４レンズ群中の前記レンズのｄ線（波長５８７．６ｎｍ）に対するアッベ数
【請求項１２】
前記第２レンズ群が負の屈折力を有する前記レンズを少なくとも１つ有することを特徴とする請求項１から請求項１１のいずれか一項に記載の変倍光学系。
【請求項１３】
前記第３レンズ群が負の屈折力を有する前記レンズを少なくとも１つ有することを特徴とする請求項１から請求項１２のいずれか一項に記載の変倍光学系。
【請求項１４】
前記第１レンズ群が以下の条件式を満足する正レンズを有することを特徴とする請求項１から請求項１３のいずれか一項に記載の変倍光学系。
７５．００ ＜ νｄｐ１
但し、
νｄｐ１：前記第１レンズ群中の前記正レンズのｄ線（波長５８７．６ｎｍ）に対するアッベ数
【請求項１５】
前記第４レンズ群が以下の条件式を満足する正レンズを有することを特徴とする請求項１から請求項１４のいずれか一項に記載の変倍光学系。
７５．００ ＜ νｄｐ４
但し、
νｄｐ４：前記第４レンズ群中の前記正レンズのｄ線（波長５８７．６ｎｍ）に対するアッベ数
【請求項１６】
広角端状態から望遠端状態への変倍時に、前記第１レンズ群と前記第２レンズ群との間隔が増加することを特徴とする請求項１から請求項１５のいずれか一項に記載の変倍光学系。
【請求項１７】
広角端状態から望遠端状態への変倍時に、前記第２レンズ群と前記第３レンズ群との間隔が減少することを特徴とする請求項１から請求項１６のいずれか一項に記載の変倍光学系。
【請求項１８】
広角端状態から望遠端状態への変倍時に、前記第３レンズ群と前記第４レンズ群との間隔が増加することを特徴とする請求項１から請求項１７のいずれか一項に記載の変倍光学系。
【請求項１９】
請求項１から請求項１８のいずれか一項に記載の変倍光学系を有することを特徴とする光学装置。
【請求項２０】
物体側から順に、正の屈折力を有する第１レンズ群と、負の屈折力を有する第２レンズ群と、正の屈折力を有する第３レンズ群と、正の屈折力を有する第４レンズ群とを有する変倍光学系の製造方法であって、
以下の条件式を満足するレンズを少なくとも１つ有するようにし、
広角端状態から望遠端状態への変倍時に、前記第１レンズ群と前記第２レンズ群との間隔、前記第２レンズ群と前記第３レンズ群との間隔、及び前記第３レンズ群と前記第４レンズ群との間隔が変化するようにすることを特徴とする変倍光学系の製造方法。
１．９２８ ＜ ｎｄｈ
２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【発明の詳細な説明】
【技術分野】
【０００１】
本発明は、変倍光学系、光学装置、変倍光学系の製造方法に関する。
【背景技術】
【０００２】
従来、カメラ用の交換レンズ、デジタルカメラ、ビデオカメラ等に好適な変倍光学系として、最も物体側のレンズ群が正の屈折力を有するものが数多く提案されている（例えば、特許文献１を参照。）。
【先行技術文献】
【特許文献】
【０００３】
【特許文献１】特開２０１０−２３７４５５号公報
【発明の概要】
【発明が解決しようとする課題】
【０００４】
しかしながら、上述のような従来の変倍光学系は、小型化を図ろうとすれば、十分に高い光学性能を得ることが困難であるという問題があった。
【０００５】
そこで本発明は上記問題点に鑑みてなされたものであり、小型で、高い光学性能を有する変倍光学系、光学装置、変倍光学系の製造方法を提供することを目的とする。
【課題を解決するための手段】
【０００６】
上記課題を解決するために本発明は、
物体側から順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態への変倍時に、前記第１レンズ群と前記第２レンズ群との間隔、前記第２レンズ群と前記第３レンズ群との間隔、及び前記第３レンズ群と前記第４レンズ群との間隔が変化し、
以下の条件式を満足するレンズを少なくとも１つ有することを特徴とする変倍光学系を提供する。
１．９２８ ＜ ｎｄｈ
２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【０００７】
また本発明は、
前記変倍光学系を有することを特徴とする光学装置を提供する。
【０００８】
また本発明は、
物体側から順に、正の屈折力を有する第１レンズ群と、負の屈折力を有する第２レンズ群と、正の屈折力を有する第３レンズ群と、正の屈折力を有する第４レンズ群とを有する変倍光学系の製造方法であって、
以下の条件式を満足するレンズを少なくとも１つ有するようにし、
広角端状態から望遠端状態への変倍時に、前記第１レンズ群と前記第２レンズ群との間隔、前記第２レンズ群と前記第３レンズ群との間隔、及び前記第３レンズ群と前記第４レンズ群との間隔が変化するようにすることを特徴とする変倍光学系の製造方法。
１．９２８ ＜ ｎｄｈ
２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【発明の効果】
【０００９】
本発明によれば、小型で、高い光学性能を有する変倍光学系、光学装置、変倍光学系の製造方法を提供することができる。
【図面の簡単な説明】
【００１０】
【図１】（ａ）、（ｂ）、及び（ｃ）はそれぞれ、本願の第１実施例に係る変倍光学系の広角端状態、中間焦点距離状態、及び望遠端状態における断面図である。
【図２】（ａ）、（ｂ）、及び（ｃ）はそれぞれ、本願の第１実施例に係る変倍光学系の広角端状態、中間焦点距離状態、及び望遠端状態における無限遠物体合焦時の諸収差図である。
【図３】（ａ）、（ｂ）、及び（ｃ）はそれぞれ、本願の第２実施例に係る変倍光学系の広角端状態、中間焦点距離状態、及び望遠端状態における断面図である。
【図４】（ａ）、（ｂ）、及び（ｃ）はそれぞれ、本願の第２実施例に係る変倍光学系の広角端状態、中間焦点距離状態、及び望遠端状態における無限遠物体合焦時の諸収差図である。
【図５】（ａ）、（ｂ）、及び（ｃ）はそれぞれ、本願の第３実施例に係る変倍光学系の広角端状態、中間焦点距離状態、及び望遠端状態における断面図である。
【図６】（ａ）、（ｂ）、及び（ｃ）はそれぞれ、本願の第３実施例に係る変倍光学系の広角端状態、中間焦点距離状態、及び望遠端状態における無限遠物体合焦時の諸収差図である。
【図７】（ａ）、（ｂ）、及び（ｃ）はそれぞれ、本願の第４実施例に係る変倍光学系の広角端状態、中間焦点距離状態、及び望遠端状態における断面図である。
【図８】（ａ）、（ｂ）、及び（ｃ）はそれぞれ、本願の第４実施例に係る変倍光学系の広角端状態、中間焦点距離状態、及び望遠端状態における無限遠物体合焦時の諸収差図である。
【図９】（ａ）、（ｂ）、及び（ｃ）はそれぞれ、本願の第５実施例に係る変倍光学系の広角端状態、中間焦点距離状態、及び望遠端状態における断面図である。
【図１０】（ａ）、（ｂ）、及び（ｃ）はそれぞれ、本願の第５実施例に係る変倍光学系の広角端状態、中間焦点距離状態、及び望遠端状態における無限遠物体合焦時の諸収差図である。
【図１１】本願の変倍光学系を備えたカメラの構成を示す図である。
【図１２】本願の変倍光学系の製造方法の概略を示す図である。
【発明を実施するための形態】
【００１１】
以下、本願の変倍光学系、光学装置、及び変倍光学系の製造方法について説明する。
本願の変倍光学系は、物体側から順に、正の屈折力を有する第１レンズ群と、負の屈折力を有する第２レンズ群と、正の屈折力を有する第３レンズ群と、正の屈折力を有する第４レンズ群とを有し、広角端状態から望遠端状態への変倍時に、前記第１レンズ群と前記第２レンズ群との間隔、前記第２レンズ群と前記第３レンズ群との間隔、及び前記第３レンズ群と前記第４レンズ群との間隔が変化することを特徴としている。この構成により、本願の変倍光学系は、広角端状態から望遠端状態への変倍を実現し、変倍に伴う歪曲収差の変動を抑えることができる。
【００１２】
また、本願の変倍光学系は、以下の条件式（１）、（２）を満足するレンズを少なくとも１つ有することを特徴としている。
（１）  １．９２８ ＜ ｎｄｈ
（２）  ２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【００１３】
条件式（１）は、前記レンズの最適な屈折率を規定するものである。本願の変倍光学系は、条件式（１）を満足することにより、小型化を達成しつつ、変倍時に球面収差の変動や非点収差の変動を抑えることができる。
本願の変倍光学系の条件式（１）の対応値が下限値を下回ると、変倍時に球面収差の変動や非点収差の変動を抑えることが困難になり、高い光学性能を実現することができなくなってしまう。なお、本願の効果をより確実にするために、条件式（１）の下限値を１．９４０とすることがより好ましい。
なお、本願の効果をより確実にするために、条件式（１）の上限値を２．８００とすることがより好ましい。本願の変倍光学系の条件式（１）の対応値が２．８００より小さくなることにより、前記レンズの材料に対する可視光線の透過率を十分に確保することができる。
【００１４】
条件式（２）は、前記レンズの最適なアッベ数を規定するものである。本願の変倍光学系は、条件式（２）を満足することにより、小型化を達成しつつ、変倍時に軸上色収差の変動や倍率色収差の変動を抑えることができる。
本願の変倍光学系の条件式（２）の対応値が下限値を下回ると、変倍時に軸上色収差の変動や倍率色収差の変動を抑えることが困難になり、高い光学性能を実現することができなくなってしまう。なお、本願の効果をより確実にするために、条件式（２）の下限値を２９．００とすることがより好ましい。また、本願の効果をより確実にするために、条件式（２）の下限値を３０．００とすることがより好ましい。また、本願の効果をより確実にするために、条件式（２）の下限値を３２．００とすることがより好ましい。
なお、本願の効果をより確実にするために、条件式（２）の上限値を５０．００とすることがより好ましい。本願の変倍光学系の条件式（２）の対応値が５０．００より小さくなることにより、変倍時に前記レンズ以外のレンズで発生する軸上色収差の変動や倍率色収差の変動を抑えることができ、高い光学性能を実現することができる。
以上の構成により、小型で、高い光学性能を有する変倍光学系を実現することができる。
【００１５】
また本願の変倍光学系は、前記第１レンズ群が前記レンズを少なくとも１つ有することが望ましい。この構成により、変倍時に第１レンズ群で発生する球面収差、非点収差、軸上色収差、及び倍率色収差のそれぞれの変動を抑えることができる。
【００１６】
また本願の変倍光学系は、以下の条件式（３）を満足することが望ましい。
（３）  ５．５０ ＜ ｆ１／（−ｆ２） ＜ １５．００
但し、
ｆ１：前記第１レンズ群の焦点距離
ｆ２：前記第２レンズ群の焦点距離
【００１７】
条件式（３）は、第１レンズ群と第２レンズ群の焦点距離比の適切な範囲を規定するものである。本願の変倍光学系は、条件式（３）を満足することにより、高変倍比を維持しつつ変倍時に非点収差の変動を抑えることができる。
本願の変倍光学系の条件式（３）の対応値が下限値を下回ると、広角端状態において非点収差が大きく発生し、高い光学性能を実現することができなくなってしまう。なお、本願の効果をより確実にするために、条件式（３）の下限値を５．６０とすることがより好ましい。また、本願の効果をより確実にするために、条件式（３）の下限値を５．９０とすることがより好ましい。
一方、本願の変倍光学系の条件式（３）の対応値が上限値を上回ると、変倍時に第２レンズ群で発生する非点収差の変動を抑えることが困難になってしまう。なお、本願の効果をより確実にするために、条件式（３）の上限値を１１．５０とすることがより好ましい。また、本願の効果をより確実にするために、条件式（３）の上限値を１０．２０とすることがより好ましい。
【００１８】
また本願の変倍光学系は、以下の条件式（４）を満足することが望ましい。
（４）  ０．２２０ ＜ （−ｆ２）／ｆ３ ＜ ０．５３０
但し、
ｆ２：前記第２レンズ群の焦点距離
ｆ３：前記第３レンズ群の焦点距離
【００１９】
条件式（４）は、第２レンズ群と第３レンズ群の焦点距離比の適切な範囲を規定するものである。本願の変倍光学系は、条件式（４）を満足することにより、高変倍比を維持しつつ変倍時に球面収差の変動や非点収差の変動を抑えることができる。
本願の変倍光学系の条件式（４）の対応値が下限値を下回ると、変倍時に第２レンズ群で発生する非点収差の変動を抑えることが困難になってしまう。なお、本願の効果をより確実にするために、条件式（４）の下限値を０．２７０とすることがより好ましい。
一方、本願の変倍光学系の条件式（４）の対応値が上限値を上回ると、変倍時に第３レンズ群で発生する球面収差の変動を抑えることが困難になってしまう。なお、本願の効果をより確実にするために、条件式（４）の上限値を０．４９０とすることがより好ましい。さらに、本願の効果をより確実にするために、条件式（４）の上限値を０．４５０とすることがより好ましい。
【００２０】
また本願の変倍光学系は、前記第１レンズ群が以下の条件式（５）を満足する前記レンズを少なくとも１つ有することが望ましい。
（５）  ０．４５０ ＜ ｜ｆｈ／ｆ１｜ ＜ １．４００
但し、
ｆｈ：前記第１レンズ群中の前記レンズの焦点距離
ｆ１：前記第１レンズ群の焦点距離
【００２１】
条件式（５）は、第１レンズ群中の前記レンズの最適な焦点距離範囲を規定するものである。なお、前記レンズが他のレンズと接合されている場合、ｆｈは前記レンズ単体の焦点距離を表す。本願の変倍光学系は、条件式（５）を満足することにより、変倍時に球面収差、非点収差、軸上色収差、及び倍率色収差のそれぞれの変動を抑えることができる。
【００２２】
ここで、条件式（５）について、前記レンズが正の屈折力を有する場合と負の屈折力を有する場合に分けて説明する。
前記レンズが正の屈折力を有する場合、本願の変倍光学系の条件式（５）の対応値が下限値を下回ると、変倍時に前記レンズで発生する軸上色収差の変動や倍率色収差の変動を抑えることが困難になり、高い光学性能を実現することができなくなってしまう。一方、本願の変倍光学系の条件式（５）の対応値が上限値を上回ると、望遠端状態において第２レンズ群で発生する正の球面収差を抑えることが困難になり、高い光学性能を実現することができなくなってしまう。
【００２３】
前記レンズが負の屈折力を有する場合、本願の変倍光学系の条件式（５）の対応値が下限値を下回ると、変倍時に前記レンズで発生する非点収差の変動を抑えることが困難になり、高い光学性能を実現することができなくなってしまう。一方、本願の変倍光学系の条件式（５）の対応値が上限値を上回ると、変倍時に前記レンズ以外のレンズで発生する軸上色収差の変動や倍率色収差の変動を抑えることが困難になり、高い光学性能を実現することができなくなってしまう。
なお、本願の効果をより確実にするために、条件式（５）の下限値を０．６２０とすることがより好ましい。また、本願の効果をより確実にするために、条件式（５）の上限値を１．２９０とすることがより好ましい。
【００２４】
また本願の変倍光学系は、前記第４レンズ群が前記レンズを少なくとも１つ有することが望ましい。この構成により、第４レンズ群で発生する球面収差、非点収差、軸上色収差、及び倍率色収差を広角端状態から望遠端状態にわたって抑えることができる。
【００２５】
また本願の変倍光学系は、前記第２レンズ群が前記レンズを少なくとも１つ有することが望ましい。この構成により、変倍時に第２レンズ群で発生する球面収差、非点収差、軸上色収差、及び倍率色収差のそれぞれの変動を広角端状態から望遠端状態にわたって抑えることができる。
【００２６】
また本願の変倍光学系は、前記第３レンズ群が前記レンズを少なくとも１つ有することが望ましい。この構成により、変倍時に第３レンズ群で発生する球面収差、非点収差、軸上色収差、及び倍率色収差のそれぞれの変動を広角端状態から望遠端状態にわたって抑えることができる。
【００２７】
また本願の変倍光学系は、前記第１レンズ群が負の屈折力を有する前記レンズを少なくとも１つ有することが望ましい。この構成により、変倍時に第１レンズ群で発生する非点収差の変動や球面収差の変動、倍率色収差の変動、特に２次色収差の変動を抑えることができ、高い光学性能を実現することができる。
【００２８】
また本願の変倍光学系は、前記第４レンズ群が負の屈折力を有する前記レンズを少なくとも１つ有することが望ましい。この構成により、変倍時に第４レンズ群で発生する非点収差の変動や球面収差の変動、軸上色収差の変動を抑えることができ、高い光学性能を実現することができる。
【００２９】
また本願の変倍光学系は、前記第４レンズ群が以下の条件式（６）を満足する前記レンズを少なくとも１つ有することが望ましい。
（６）  ３１．６０ ＜ νｄｈ４
但し、
νｄｈ４：前記第４レンズ群中の前記レンズのｄ線（波長５８７．６ｎｍ）に対するアッベ数
【００３０】
条件式（６）は、第４レンズ群中の前記レンズの最適なアッベ数を規定するものである。本願の変倍光学系は、条件式（６）を満足することにより、軸上色収差や倍率色収差を抑えることができる。
本願の変倍光学系の条件式（６）の対応値が下限値を下回ると、第４レンズ群において、前記レンズ以外のレンズで発生する軸上色収差や倍率色収差を抑えることが困難になり、高い光学性能を実現することができなくなってしまう。
【００３１】
また本願の変倍光学系は、前記第２レンズ群が負の屈折力を有する前記レンズを少なくとも１つ有することが望ましい。この構成により、第２レンズ群で発生する軸上色収差や倍率色収差、特に２次色収差を抑えることができ、高い光学性能を実現することができる。
【００３２】
また本願の変倍光学系は、前記第３レンズ群が負の屈折力を有する前記レンズを少なくとも１つ有することが望ましい。この構成により、第３レンズ群で発生する軸上色収差、特に２次色収差を抑えることができ、高い光学性能を実現することができる。
【００３３】
また本願の変倍光学系は、前記第１レンズ群が以下の条件式（７）を満足する正レンズを有することが望ましい。
（７）  ７５．００ ＜ νｄｐ１
但し、
νｄｐ１：前記第１レンズ群中の前記正レンズのｄ線（波長５８７．６ｎｍ）に対するアッベ数
【００３４】
条件式（７）は、第１レンズ群中の前記正レンズの最適なアッベ数を規定するものである。本願の変倍光学系は、条件式（７）を満足することにより、変倍時に軸上色収差の変動や倍率色収差の変動を抑えることができる。
本願の変倍光学系の条件式（７）の対応値が下限値を下回ると、変倍時に軸上色収差の変動や倍率色収差の変動を抑えることが困難になり、高い光学性能を実現することができなくなってしまう。
なお、本願の効果をより確実にするために、条件式（７）の上限値を９９．００とすることがより好ましい。本願の変倍光学系の条件式（７）の対応値が９９．００より小さくなることにより、変倍時に前記正レンズ以外のレンズで発生する軸上色収差の変動や倍率色収差の変動を抑えることができ、高い光学性能を実現することができる。
【００３５】
また本願の変倍光学系は、前記第４レンズ群が以下の条件式（８）を満足する正レンズを有することが望ましい。
（８）  ７５．００ ＜ νｄｐ４
但し、
νｄｐ４：前記第４レンズ群中の前記正レンズのｄ線（波長５８７．６ｎｍ）に対するアッベ数
【００３６】
条件式（８）は、第４レンズ群中の前記正レンズの最適なアッベ数を規定するものである。本願の変倍光学系は、条件式（８）を満足することにより、変倍時に軸上色収差の変動や倍率色収差の変動を抑えることができる。
本願の変倍光学系の条件式（８）の対応値が下限値を下回ると、変倍時に軸上色収差の変動を抑えることが困難になり、高い光学性能を実現することができなくなってしまう。
なお、本願の効果をより確実にするために、条件式（８）の上限値を９９．００とすることがより好ましい。本願の変倍光学系の条件式（８）の対応値が９９．００より小さくなることにより、前記正レンズ以外のレンズで発生する軸上色収差を抑えることができ、高い光学性能を実現することができる。
【００３７】
また本願の変倍光学系は、広角端状態から望遠端状態への変倍時に、前記第１レンズ群と前記第２レンズ群との間隔が増加することが望ましい。この構成により、第１レンズ群の焦点距離と第２レンズ群の焦点距離を適切なものにすることができる。そして、各レンズ群で発生する球面収差や非点収差を抑え、変倍時に球面収差の変動や非点収差の変動を抑えることができる。
【００３８】
また本願の変倍光学系は、広角端状態から望遠端状態への変倍時に、前記第２レンズ群と前記第３レンズ群との間隔が減少することが望ましい。この構成により、第２レンズ群の焦点距離と第３レンズ群の焦点距離を適切なものにすることができる。そして、各レンズ群で発生する球面収差や非点収差を抑え、変倍時に球面収差の変動や非点収差の変動を抑えることができる。
【００３９】
また本願の変倍光学系は、広角端状態から望遠端状態への変倍時に、前記第３レンズ群と前記第４レンズ群との間隔が増加することが望ましい。この構成により、変倍時に第３レンズ群及び第４レンズ群で発生する球面収差の変動や非点収差の変動を抑えることができる。
【００４０】
本願の光学装置は、上述した構成の変倍光学系を有することを特徴としている。これにより、小型で、高い光学性能を有する光学装置を実現することができる。
【００４１】
本願の変倍光学系の製造方法は、物体側から順に、正の屈折力を有する第１レンズ群と、負の屈折力を有する第２レンズ群と、正の屈折力を有する第３レンズ群と、正の屈折力を有する第４レンズ群とを有する変倍光学系の製造方法であって、以下の条件式（１）、（２）を満足するレンズを少なくとも１つ有するようにし、広角端状態から望遠端状態への変倍時に、前記第１レンズ群と前記第２レンズ群との間隔、前記第２レンズ群と前記第３レンズ群との間隔、及び前記第３レンズ群と前記第４レンズ群との間隔が変化するようにすることを特徴としている。これにより、小型で、高い光学性能を有する変倍光学系を製造することができる。
（１）  １．９２８ ＜ ｎｄｈ
（２）  ２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【００４２】
以下、本願の数値実施例に係る変倍光学系を添付図面に基づいて説明する。
（第１実施例）
図１（ａ）、図１（ｂ）、及び図１（ｃ）はそれぞれ、本願の第１実施例に係る変倍光学系の広角端状態、中間焦点距離状態、及び望遠端状態における断面図である。
本実施例に係る変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とから構成されている。
【００４３】
第１レンズ群Ｇ１は、物体側から順に、物体側に凸面を向けた負メニスカスレンズＬ１１と両凸形状の正レンズＬ１２との接合レンズと、物体側に凸面を向けた正メニスカスレンズＬ１３とからなる。
第２レンズ群Ｇ２は、物体側から順に、物体側に凸面を向けた負メニスカスレンズＬ２１と、両凹形状の負レンズＬ２２と、両凸形状の正レンズＬ２３と、物体側に凹面を向けた負メニスカスレンズＬ２４とからなる。なお、負メニスカスレンズＬ２１は物体側のレンズ面を非球面形状としたガラスモールド非球面レンズである。
第３レンズ群Ｇ３は、物体側から順に、物体側に凸面を向けた負メニスカスレンズＬ３１と両凸形状の正レンズＬ３２との接合レンズからなる。なお、第３レンズ群Ｇ３の物体側には、開口絞りＳが備えられている。
【００４４】
第４レンズ群Ｇ４は、物体側から順に、負の屈折力を有する前群Ｇ４Ｆと、正の屈折力を有する後群Ｇ４Ｒとからなる。
前群Ｇ４Ｆは、物体側から順に、両凸形状の正レンズＬ４０１と両凹形状の負レンズＬ４０２との接合レンズと、両凹形状の負レンズＬ４０３と物体側に凸面を向けた正メニスカスレンズＬ４０４との接合レンズとからなる。なお、負レンズＬ４０３は物体側のレンズ面を非球面形状としたガラスモールド非球面レンズである。
後群Ｇ４Ｒは、物体側から順に、両凸形状の正レンズＬ４０５と、両凸形状の正レンズＬ４０６と物体側に凹面を向けた負メニスカスレンズＬ４０７との接合レンズと、物体側に凸面を向けた負メニスカスレンズＬ４０８と両凸形状の正レンズＬ４０９との接合レンズと、像側に凸面を向けた負メニスカスレンズＬ４１０とからなる。なお、負メニスカスレンズＬ４１０は像側のレンズ面を非球面形状としたガラスモールド非球面レンズである。
なお、本実施例に係る変倍光学系では、第４レンズ群Ｇ４と像面Ｉとの間に、ローパスフィルタやセンサ用カバーガラス等を配置してもよい。
【００４５】
以上の構成の下、本実施例に係る変倍光学系では、広角端状態から望遠端状態への変倍時に、第１レンズ群Ｇ１と第２レンズ群Ｇ２との空気間隔が増加し、第２レンズ群Ｇ２と第３レンズ群Ｇ３との空気間隔が減少し、第３レンズ群Ｇ３と第４レンズ群Ｇ４との空気間隔が増加し、開口絞りＳと第３レンズ群Ｇ３との空気間隔が減少するように、第１〜第４レンズ群Ｇ１〜Ｇ４が光軸に沿って移動し、開口絞りＳは第４レンズ群Ｇ４の前群Ｇ４Ｆと一体的に移動する。詳細には、第１レンズ群Ｇ１と第３レンズ群Ｇ３は変倍時に物体側へ移動する。第２レンズ群Ｇ２は、広角端状態から中間焦点距離状態まで物体側へ移動し、中間焦点距離状態から望遠端状態まで像側へ移動する。第４レンズ群Ｇ４においては、広角端状態から望遠端状態への変倍時に、前群Ｇ４Ｆと後群Ｇ４Ｒとの空気間隔が減少するように、前群Ｇ４Ｆと後群Ｇ４Ｒが、広角端状態から中間焦点距離状態まで物体側へ移動し、中間焦点距離状態から望遠端状態まで像側へ移動する。
【００４６】
以下の表１に、本実施例に係る変倍光学系の諸元の値を掲げる。
表１において、ｆは焦点距離、ＢＦはバックフォーカス（最も像側のレンズ面と像面Ｉとの光軸上の距離）を示す。
[面データ]において、面番号は物体側から数えた光学面の順番、ｒは曲率半径、ｄは面間隔（第n面（nは整数）と第n+1面との間隔）、ｎｄはｄ線（波長５８７．６ｎｍ）に対する屈折率、νｄはｄ線（波長５８７．６ｎｍ）に対するアッベ数をそれぞれ示している。また、物面は物体面、可変は可変の面間隔、絞りSは開口絞りＳ、像面は像面Ｉをそれぞれ示している。なお、曲率半径ｒ＝∞は平面を示している。非球面は面番号に＊を付して曲率半径ｒの欄に近軸曲率半径の値を示している。空気の屈折率ｎｄ＝1.000000の記載は省略している。
【００４７】
［非球面データ］には、［面データ］に示した非球面について、その形状を次式で表した場合の非球面係数及び円錐定数を示す。
ｘ＝（ｈ２／ｒ）／［１＋｛１−κ（ｈ／ｒ）２｝１／２］
＋A4ｈ４＋A6ｈ６＋A8ｈ８＋A10ｈ１０
ここで、ｈを光軸に垂直な方向の高さ、ｘを高さｈにおける非球面の頂点の接平面から当該非球面までの光軸方向に沿った距離（サグ量）、κを円錐定数、A4，A6，A8，A10を非球面係数、ｒを基準球面の曲率半径（近軸曲率半径）とする。なお、「E−n」（nは整数）は「×10−ｎ」を示し、例えば「1.234E-05」は「1.234×10−５」を示す。２次の非球面係数A2は０であり、記載を省略している。
【００４８】
［各種データ］において、ＦＮＯはＦナンバー、ωは半画角（単位は「°」）、Ｙは像高、ＴＬは変倍光学系の全長（無限遠物体合焦時の第１面から像面Ｉまでの光軸上の距離）、dnは第n面と第n+1面との可変の間隔、φは開口絞りＳの絞り径をそれぞれ示す。なお、Ｗは広角端状態、Ｍは中間焦点距離状態、Ｔは望遠端状態をそれぞれ示す。
［レンズ群データ］には、各レンズ群の始面と焦点距離を示す。
［条件式対応値］には、本実施例に係る変倍光学系の各条件式の対応値を示す。
【００４９】
ここで、表１に掲載されている焦点距離ｆ、曲率半径ｒ及びその他の長さの単位は一般に「ｍｍ」が使われる。しかしながら光学系は、比例拡大又は比例縮小しても同等の光学性能が得られるため、これに限られるものではない。
なお、以上に述べた表１の符号は、後述する各実施例の表においても同様に用いるものとする。
【００５０】
（表１）第１実施例
[面データ]
面番号          ｒ        ｄ       ｎｄ     νｄ
物面           ∞
1         104.5118   1.6000   2.003300   28.27
2          39.3751   7.4000   1.497820   82.57
3        -463.5701   0.1000
4          40.3116   5.4000   1.834810   42.73
5         241.9089    可変
＊6          79.9711   1.0000   1.851350   40.10
7           8.1252   4.8500
8         -14.2116   1.0000   1.883000   40.66
9         124.9279   0.1000
10          30.8124   3.3500   1.808090   22.74
11         -15.1873   0.3000
12         -13.2222   1.0000   1.883000   40.66
13         -23.0302    可変
14(絞りS)     ∞       可変
15          26.1923   1.0000   1.954000   33.46
16          12.2483   2.8500   1.719990   50.27
17         -43.5073    可変
18          14.5527   2.8500   1.497820   82.57
19         -40.3302   1.0000   1.950000   29.37
20         173.4596   2.1500
＊21        -105.0156   1.0000   1.806100   40.71
22          10.9037   2.2000   1.808090   22.74
23          28.6084    可変
24          30.6882   2.8500   1.579570   53.74
25         -18.3905   0.1000
26          18.8919   3.6000   1.518230   58.82
27         -13.1344   1.0000   2.000690   25.46
28       -2198.5412   0.7500
29         412.2295   1.0000   1.954000   33.46
30          12.8823   3.5000   1.755200   27.57
31         -23.7185   1.1500
32         -16.1296   1.0000   1.806100   40.71
＊33         -97.3104    ＢＦ
像面           ∞
［非球面データ］
第６面
κ    -8.7294
A4     4.64796E-05
A6    -4.09659E-07
A8     2.44519E-09
A10   -9.90503E-12
第２１面
κ    -1.5760
A4     1.72590E-05
A6     9.45415E-08
A8    -1.00397E-09
A10    0.00000E+00
第３３面
κ   -19.8082
A4    -1.67719E-05
A6    -2.11776E-07
A8    -4.15932E-10
A10   -1.15008E-11
［各種データ］
変倍比      9.42
Ｗ           Ｔ
ｆ         10.30   〜   97.00
ＦＮＯ      4.09   〜    5.81
ω         40.21   〜    4.76°
Ｙ          8.19   〜    8.19
Ｗ         Ｍ         Ｔ
ｆ         10.30000   50.00013   97.00039
ω         40.21337    9.15519    4.75685
ＦＮＯ      4.09       5.78       5.81
φ          7.68       8.50       9.20
ＴＬ      100.29944  130.25093  139.59967
d5          2.10000   28.50000   39.66696
d13        17.38897    3.31447    2.00000
d14         4.87082    3.98262    1.60000
d17         2.59389    3.48209    5.86471
d23         5.29632    3.42829    3.30000
ＢＦ       13.94944   33.44346   33.06800
［レンズ群データ］
群    始面        ｆ
1       1      64.38705
2       6      -9.57903
3      15      29.91408
4      18      58.41425(W)、61.26584(M)、61.47193(T)
4F     18     -81.48313
4R     24      28.77173
［条件式対応値］
（１） ｎｄｈ ＝ 1.954(L31)、1.950(L402)、1.954(L408)
（２） νｄｈ ＝ 33.46(L31)、29.37(L402)、33.46(L408)
（３） ｆ１／（−ｆ２） ＝ 6.72
（４） （−ｆ２）／ｆ３ ＝ 0.320
（６） νｄｈ４ ＝ 33.46(L408)
（７） νｄｐ１ ＝ 82.57(L12)
（８） νｄｐ４ ＝ 82.57(L401)
【００５１】
図２（ａ）、図２（ｂ）、及び図２（ｃ）はそれぞれ、本願の第１実施例に係る変倍光学系の広角端状態、中間焦点距離状態、及び望遠端状態における無限遠物体合焦時の諸収差図である。
【００５２】
各収差図において、ＦＮＯはＦナンバー、Ａは光線入射角即ち半画角（単位は「°」）をそれぞれ示す。ｄはｄ線（波長５８７．６ｎｍ）、ｇはｇ線（波長４３５．８ｎｍ）における収差をそれぞれ示し、ｄ、ｇの記載のないものはｄ線における収差を示す。非点収差図において、実線はサジタル像面、破線はメリディオナル像面をそれぞれ示す。なお、後述する各実施例の収差図においても、本実施例と同様の符号を用いる。
【００５３】
各収差図より、本実施例に係る変倍光学系は、広角端状態から望遠端状態にわたって諸収差が良好に補正され、高い光学性能を有していることがわかる。
【００５４】
（第２実施例）
図３（ａ）、図３（ｂ）、及び図３（ｃ）はそれぞれ、本願の第２実施例に係る変倍光学系の広角端状態、中間焦点距離状態、及び望遠端状態における断面図である。
本実施例に係る変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とから構成されている。
【００５５】
第１レンズ群Ｇ１は、物体側から順に、物体側に凸面を向けた負メニスカスレンズＬ１１と両凸形状の正レンズＬ１２との接合レンズと、物体側に凸面を向けた正メニスカスレンズＬ１３とからなる。
第２レンズ群Ｇ２は、物体側から順に、両凹形状の負レンズＬ２１と、両凹形状の負レンズＬ２２と、両凸形状の正レンズＬ２３と、物体側に凹面を向けた負メニスカスレンズＬ２４とからなる。
第３レンズ群Ｇ３は、物体側から順に、物体側に凸面を向けた負メニスカスレンズＬ３１と両凸形状の正レンズＬ３２との接合レンズからなる。なお、第３レンズ群Ｇ３の物体側には、開口絞りＳが備えられている。
【００５６】
第４レンズ群Ｇ４は、物体側から順に、負の屈折力を有する前群Ｇ４Ｆと、正の屈折力を有する後群Ｇ４Ｒとからなる。
前群Ｇ４Ｆは、物体側から順に、両凸形状の正レンズＬ４０１と両凹形状の負レンズＬ４０２との接合レンズと、両凹形状の負レンズＬ４０３と物体側に凸面を向けた正メニスカスレンズＬ４０４との接合レンズとからなる。なお、負レンズＬ４０３は物体側のレンズ面を非球面形状としたガラスモールド非球面レンズである。
後群Ｇ４Ｒは、物体側から順に、両凸形状の正レンズＬ４０５と、物体側に凹面を向けた正メニスカスレンズＬ４０６と物体側に凹面を向けた負メニスカスレンズＬ４０７との接合レンズとからなる。なお、正レンズＬ４０５は物体側のレンズ面を非球面形状としたガラスモールド非球面レンズである。
なお、本実施例に係る変倍光学系では、第４レンズ群Ｇ４と像面Ｉとの間に、ローパスフィルタやセンサ用カバーガラス等を配置してもよい。
【００５７】
以上の構成の下、本実施例に係る変倍光学系では、広角端状態から望遠端状態への変倍時に、第１レンズ群Ｇ１と第２レンズ群Ｇ２との空気間隔が増加し、第２レンズ群Ｇ２と第３レンズ群Ｇ３との空気間隔が減少し、第３レンズ群Ｇ３と第４レンズ群Ｇ４との空気間隔が増加し、開口絞りＳと第３レンズ群Ｇ３との空気間隔が減少するように、第１〜第４レンズ群Ｇ１〜Ｇ４が光軸に沿って移動し、開口絞りＳは第４レンズ群Ｇ４の前群Ｇ４Ｆと一体的に移動する。詳細には、第１レンズ群Ｇ１と第３レンズ群Ｇ３は変倍時に物体側へ移動する。第２レンズ群Ｇ２は、広角端状態から中間焦点距離状態まで物体側へ移動し、中間焦点距離状態から望遠端状態まで像側へ移動する。第４レンズ群Ｇ４においては、広角端状態から望遠端状態への変倍時に、前群Ｇ４Ｆと後群Ｇ４Ｒとの空気間隔が減少するように、前群Ｇ４Ｆと後群Ｇ４Ｒが物体側へ移動する。
以下の表２に、本実施例に係る変倍光学系の諸元の値を掲げる。
【００５８】
（表２）第２実施例
[面データ]
面番号          ｒ        ｄ       ｎｄ     νｄ
物面           ∞
1         251.8446   1.6000   1.950000   29.37
2          36.8495   7.9000   1.497820   82.57
3        -162.8867   0.1000
4          41.6898   5.7500   1.883000   40.66
5        7827.2710    可変
6        -808.8261   1.0000   1.883000   40.66
7           9.5148   3.6000
8         -15.5435   1.0000   1.883000   40.66
9         143.0303   0.1000
10          28.6318   3.0500   1.808090   22.74
11         -13.3111   0.2500
12         -12.1771   1.0000   1.834810   42.73
13         -36.4394    可変
14(絞りS)     ∞       可変
15          27.0772   1.0000   2.000690   25.46
16          15.7705   2.5000   1.744000   44.80
17         -35.2142    可変
18          12.6941   2.9500   1.497820   82.57
19         -24.8876   1.0000   1.846660   23.80
20         775.1758   2.1500
＊21        -227.6550   1.0000   1.806100   40.97
22           8.8217   2.2000   1.846660   23.80
23          19.5840    可変
＊24          15.0000   3.1500   1.583130   59.42
25         -23.9888   0.1000
26        -509.6518   4.2000   1.581440   40.98
27          -7.8594   1.0000   1.954000   33.46
28        -200.0000    ＢＦ
像面           ∞
［非球面データ］
第２１面
κ   -20.0000
A4     1.61374E-05
A6    -2.79859E-08
A8    -1.22068E-09
A10    0.00000E+00
第２４面
κ     3.6281
A4    -1.21377E-04
A6    -7.10924E-07
A8     1.36403E-08
A10   -4.10781E-10
［各種データ］
変倍比      9.42
Ｗ           Ｔ
ｆ         10.30   〜   97.00
ＦＮＯ      4.12   〜    6.48
ω         43.07   〜    4.70°
Ｙ          8.19   〜    8.19
Ｗ         Ｍ         Ｔ
ｆ         10.30000   50.00001   96.99995
ω         43.07103    9.11914    4.70123
ＦＮＯ      4.12       5.81       6.48
φ          6.80       7.90       7.90
ＴＬ       90.80323  122.13334  131.09941
d5          2.28937   28.97477   38.62002
d13        13.12572    3.71901    2.00000
d14         6.29895    3.32684    1.40000
d17         2.43367    5.40578    7.33262
d23         6.60623    3.30000    3.30000
ＢＦ       13.44928   30.80693   31.84677
［レンズ群データ］
群    始面        ｆ
1       1      59.94630
2       6      -8.99248
3      15      24.34092
4      18      71.07089(W)、75.48860(M)、75.48860(T)
4F     18    -112.21259
4R     24      35.78226
［条件式対応値］
（１） ｎｄｈ ＝ 1.950(L11)、1.954(L407)
（２） νｄｈ ＝ 29.37(L11)、33.46(L407)
（３） ｆ１／（−ｆ２） ＝ 6.67
（４） （−ｆ２）／ｆ３ ＝ 0.369
（５） ｜ｆｈ／ｆ１｜ ＝ 0.761(L11)
（６） νｄｈ４ ＝ 33.46(L407)
（７） νｄｐ１ ＝ 82.57(L12)
（８） νｄｐ４ ＝ 82.57(L401)
【００５９】
図４（ａ）、図４（ｂ）、及び図４（ｃ）はそれぞれ、本願の第２実施例に係る変倍光学系の広角端状態、中間焦点距離状態、及び望遠端状態における無限遠物体合焦時の諸収差図である。
【００６０】
各収差図より、本実施例に係る変倍光学系は、広角端状態から望遠端状態にわたって諸収差が良好に補正され、高い光学性能を有していることがわかる。
【００６１】
（第３実施例）
図５（ａ）、図５（ｂ）、及び図５（ｃ）はそれぞれ、本願の第３実施例に係る変倍光学系の広角端状態、中間焦点距離状態、及び望遠端状態における断面図である。
本実施例に係る変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とから構成されている。
【００６２】
第１レンズ群Ｇ１は、物体側から順に、物体側に凸面を向けた負メニスカスレンズＬ１１と両凸形状の正レンズＬ１２との接合レンズと、物体側に凸面を向けた正メニスカスレンズＬ１３とからなる。
第２レンズ群Ｇ２は、物体側から順に、物体側に凸面を向けた負メニスカスレンズＬ２１と、両凹形状の負レンズＬ２２と、両凸形状の正レンズＬ２３と、物体側に凹面を向けた負メニスカスレンズＬ２４とからなる。なお、負メニスカスレンズＬ２１は物体側のレンズ面を非球面形状としたガラスモールド非球面レンズである。
第３レンズ群Ｇ３は、物体側から順に、物体側に凸面を向けた負メニスカスレンズＬ３１と両凸形状の正レンズＬ３２との接合レンズからなる。なお、第３レンズ群Ｇ３の物体側には、開口絞りＳが備えられている。
【００６３】
第４レンズ群Ｇ４は、物体側から順に、負の屈折力を有する前群Ｇ４Ｆと、正の屈折力を有する後群Ｇ４Ｒとからなる。
前群Ｇ４Ｆは、物体側から順に、両凸形状の正レンズＬ４０１と像側に凸面を向けた負メニスカスレンズＬ４０２との接合レンズと、両凹形状の負レンズＬ４０３と物体側に凸面を向けた正メニスカスレンズＬ４０４との接合レンズとからなる。なお、負レンズＬ４０３は物体側のレンズ面を非球面形状としたガラスモールド非球面レンズである。
後群Ｇ４Ｒは、物体側から順に、両凸形状の正レンズＬ４０５と、両凸形状の正レンズＬ４０６と物体側に凹面を向けた負メニスカスレンズＬ４０７との接合レンズとからなる。なお、正レンズＬ４０５は物体側のレンズ面を非球面形状としたガラスモールド非球面レンズである。
なお、本実施例に係る変倍光学系では、第４レンズ群Ｇ４と像面Ｉとの間に、ローパスフィルタやセンサ用カバーガラス等を配置してもよい。
【００６４】
以上の構成の下、本実施例に係る変倍光学系では、広角端状態から望遠端状態への変倍時に、第１レンズ群Ｇ１と第２レンズ群Ｇ２との空気間隔が増加し、第２レンズ群Ｇ２と第３レンズ群Ｇ３との空気間隔が減少し、第３レンズ群Ｇ３と第４レンズ群Ｇ４との空気間隔が増加し、開口絞りＳと第３レンズ群Ｇ３との空気間隔が減少するように、第１〜第４レンズ群Ｇ１〜Ｇ４が光軸に沿って移動し、開口絞りＳは第４レンズ群Ｇ４の前群Ｇ４Ｆと一体的に移動する。詳細には、第１レンズ群Ｇ１と第３レンズ群Ｇ３は変倍時に物体側へ移動する。第２レンズ群Ｇ２は、広角端状態から中間焦点距離状態まで物体側へ移動し、中間焦点距離状態から望遠端状態まで像側へ移動する。第４レンズ群Ｇ４においては、広角端状態から望遠端状態への変倍時に、前群Ｇ４Ｆと後群Ｇ４Ｒとの空気間隔が減少するように、前群Ｇ４Ｆと後群Ｇ４Ｒが物体側へ移動する。
以下の表３に、本実施例に係る変倍光学系の諸元の値を掲げる。
【００６５】
（表３）第３実施例
[面データ]
面番号          ｒ        ｄ       ｎｄ     νｄ
物面           ∞
1         149.8692   1.6000   1.949665   27.56
2          44.3736   6.8398   1.497820   82.51
3        -243.5058   0.1000
4          45.3756   5.3508   1.867900   41.78
5         311.4136    可変
＊6          89.0243   1.2000   1.834810   42.73
7           8.4900   3.7581
8         -15.7255   1.0000   1.834810   42.73
9         250.0000   0.1000
10          25.2749   3.2925   1.808090   22.74
11         -17.4750   0.5480
12         -12.6196   1.0000   1.816000   46.59
13         -33.4252    可変
14(絞りS)     ∞       可変
15          29.1681   1.0000   1.889044   39.77
16          18.2404   3.2071   1.593125   66.16
17         -26.5261    可変
18          14.2857   3.5654   1.497820   82.51
19         -21.9776   1.0000   1.902000   25.23
20         -82.8398   2.2052
＊21         -52.3071   1.0000   1.848976   43.01
22           9.1414   2.6915   1.950000   29.37
23          25.8642    可変
＊24          35.4414   3.3350   1.589130   61.22
25         -21.3191   0.3000
26          42.3100   4.4029   1.581440   40.98
27         -10.1979   1.2000   1.954000   33.46
28        -300.4717    ＢＦ
像面           ∞
［非球面データ］
第６面
κ     1.0000
A4     3.45801E-05
A6    -1.38520E-07
A8    -5.59965E-11
A10    1.26030E-11
第２１面
κ     1.0000
A4     1.74477E-06
A6     1.28096E-07
A8    -2.63692E-09
A10    0.00000E+00
第２４面
κ     1.0000
A4    -1.22983E-05
A6     1.47314E-07
A8    -5.48742E-10
A10    0.00000E+00
［各種データ］
変倍比      9.42
Ｗ           Ｔ
ｆ         10.30   〜   97.00
ＦＮＯ      3.50   〜    5.62
ω         39.90   〜    4.69°
Ｙ          8.19   〜    8.19
Ｗ         Ｍ         Ｔ
ｆ         10.30001   49.99971   96.99932
ω         39.90076    9.01930    4.68610
ＦＮＯ      3.50       5.20       5.62
φ          8.99       8.81       9.00
ＴＬ       99.25773  129.21001  139.67596
d5          1.99991   30.68218   41.26022
d13        18.53440    4.14191    2.00000
d14         3.76478    2.96318    1.40000
d17         3.54181    4.34341    5.90655
d23         8.01786    3.30678    3.30001
ＢＦ       14.70262   35.07621   37.11281
［レンズ群データ］
群    始面        ｆ
1       1      66.85483
2       6      -9.36043
3      15      27.88295
4      18      53.04244(W)、55.61603(M)、55.61991(T)
4F     18    -160.91663
4R     24      33.55859
［条件式対応値］
（１） ｎｄｈ ＝ 1.950(L404)、1.954(L407)
（２） νｄｈ ＝ 29.37(L404)、33.46(L407)
（３） ｆ１／（−ｆ２） ＝ 7.14
（４） （−ｆ２）／ｆ３ ＝ 0.336
（６） νｄｈ４ ＝ 33.46(L407)
（７） νｄｐ１ ＝ 82.51(L12)
（８） νｄｐ４ ＝ 82.51(L401)
【００６６】
図６（ａ）、図６（ｂ）、及び図６（ｃ）はそれぞれ、本願の第３実施例に係る変倍光学系の広角端状態、中間焦点距離状態、及び望遠端状態における無限遠物体合焦時の諸収差図である。
【００６７】
各収差図より、本実施例に係る変倍光学系は、広角端状態から望遠端状態にわたって諸収差が良好に補正され、高い光学性能を有していることがわかる。
【００６８】
（第４実施例）
図７（ａ）、図７（ｂ）、及び図７（ｃ）はそれぞれ、本願の第４実施例に係る変倍光学系の広角端状態、中間焦点距離状態、及び望遠端状態における断面図である。
本実施例に係る変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とから構成されている。
【００６９】
第１レンズ群Ｇ１は、物体側から順に、物体側に凸面を向けた負メニスカスレンズＬ１１と両凸形状の正レンズＬ１２との接合レンズと、物体側に凸面を向けた正メニスカスレンズＬ１３とからなる。
第２レンズ群Ｇ２は、物体側から順に、物体側に凸面を向けた負メニスカスレンズＬ２１と、物体側に凹面を向けた負メニスカスレンズＬ２２と、両凸形状の正レンズＬ２３と、物体側に凹面を向けた負メニスカスレンズＬ２４とからなる。なお、負メニスカスレンズＬ２１は物体側のレンズ面を非球面形状としたガラスモールド非球面レンズである。
第３レンズ群Ｇ３は、物体側から順に、物体側に凸面を向けた負メニスカスレンズＬ３１と両凸形状の正レンズＬ３２との接合レンズからなる。なお、第３レンズ群Ｇ３の物体側には、開口絞りＳが備えられている。
【００７０】
第４レンズ群Ｇ４は、物体側から順に、両凸形状の正レンズＬ４０１と像側に凸面を向けた負メニスカスレンズＬ４０２との接合レンズと、物体側に凹面を向けた正メニスカスレンズＬ４０３と両凹形状の負レンズＬ４０４との接合レンズと、両凸形状の正レンズＬ４０５と、物体側に凹面を向けた正メニスカスレンズＬ４０６と両凹形状の負レンズＬ４０７との接合レンズと、物体側に凸面を向けた負メニスカスレンズＬ４０８と両凸形状の正レンズＬ４０９との接合レンズと、物体側に凹面を向けた負メニスカスレンズＬ４１０とからなる。なお、正メニスカスレンズＬ４０３は物体側のレンズ面を非球面形状としたガラスモールド非球面レンズであり、負メニスカスレンズＬ４１０は像側のレンズ面を非球面形状としたガラスモールド非球面レンズである。
なお、本実施例に係る変倍光学系では、第４レンズ群Ｇ４と像面Ｉとの間に、ローパスフィルタやセンサ用カバーガラス等を配置してもよい。
【００７１】
以上の構成の下、本実施例に係る変倍光学系では、広角端状態から望遠端状態への変倍時に、第１レンズ群Ｇ１と第２レンズ群Ｇ２との空気間隔が増加し、第２レンズ群Ｇ２と第３レンズ群Ｇ３との空気間隔が減少し、第３レンズ群Ｇ３と第４レンズ群Ｇ４との空気間隔が増加し、開口絞りＳと第３レンズ群Ｇ３との空気間隔が減少するように、第１〜第４レンズ群Ｇ１〜Ｇ４が光軸に沿って移動し、開口絞りＳは第４レンズ群Ｇ４と一体的に移動する。詳細には、第１レンズ群Ｇ１、第３レンズ群Ｇ３、及び第４レンズ群Ｇ４は変倍時に物体側へ移動する。第２レンズ群Ｇ２は、広角端状態から中間焦点距離状態まで物体側へ移動し、中間焦点距離状態から望遠端状態まで像側へ移動する。
以下の表４に、本実施例に係る変倍光学系の諸元の値を掲げる。
【００７２】
（表４）第４実施例
[面データ]
面番号          ｒ        ｄ       ｎｄ     νｄ
物面           ∞
1         134.9416   1.6000   2.001000   29.14
2          37.4620   7.6500   1.497820   82.57
3        -339.5674   0.1000
4          41.6639   5.5500   1.883000   40.66
5         520.6025    可変
＊6        2429.7649   1.0000   1.851350   40.10
7           8.6673   5.7500
8         -10.8429   1.0000   1.487490   70.31
9         -45.5363   0.8500
10          52.5147   3.1000   1.808090   22.74
11         -17.4657   0.3000
12         -16.1357   1.0000   1.954000   33.46
13         -39.2793    可変
14(絞りS)     ∞       可変
15          29.3843   1.0000   1.902650   35.73
16          14.8567   2.8000   1.719990   50.27
17         -55.5590    可変
18          13.5564   3.3500   1.497820   82.57
19         -24.9755   1.0000   1.950000   29.37
20        -183.0794   2.1500
＊21        -145.2052   2.2500   1.802440   25.55
22         -14.7800   1.0000   1.766840   46.78
23          23.7425   2.8000
24          25.8106   3.0000   1.516800   63.88
25         -15.0644   0.1000
26        -568.8377   3.0000   1.568830   56.00
27          -9.3137   1.0000   1.954000   33.46
28          98.3635   0.1000
29          15.0059   1.0000   1.950000   29.37
30           7.0809   4.2500   1.647690   33.73
31         -21.2496   1.4500
32         -11.4669   1.0000   1.743300   49.32
＊33         -29.8012    ＢＦ
像面           ∞
［非球面データ］
第６面
κ   -20.0000
A4     9.19258E-05
A6    -6.71049E-07
A8     3.76181E-09
A10   -1.11659E-11
第２１面
κ   -13.2727
A4     1.25451E-05
A6     1.56196E-07
A8    -2.20815E-09
A10    0.00000E+00
第３３面
κ    -0.9208
A4    -8.91367E-05
A6    -1.72158E-06
A8     2.40673E-08
A10   -6.77013E-10
［各種データ］
変倍比      9.42
Ｗ           Ｔ
ｆ         10.30   〜   97.00
ＦＮＯ      4.08   〜    5.83
ω         40.21   〜    4.78°
Ｙ          8.19   〜    8.19
Ｗ         Ｍ         Ｔ
ｆ         10.30000   50.00021   97.00042
ω         40.21108    9.16962    4.78008
ＦＮＯ      4.08       5.79       5.83
φ          8.40       9.20      10.10
ＴＬ      102.69006  133.09448  142.59913
d5          2.10000   29.30442   39.87067
d13        19.87565    4.17251    2.00000
d14         4.49060    3.80672    1.60000
d17         3.02442    3.70831    5.91502
ＢＦ       14.04941   32.95254   34.06346
［レンズ群データ］
群    始面        ｆ
1       1      63.95755
2       6     -10.21809
3      15      32.27954
4      18      70.96006
［条件式対応値］
（１） ｎｄｈ ＝ 2.001(L11)、1.954(L24)、1.950(L402)、1.954(L407)、1.950(L408)
（２） νｄｈ ＝ 29.14(L11)、33.46(L24)、29.37(L402)、33.46(L407)、29.37(L408)
（３） ｆ１／（−ｆ２） ＝ 6.26
（４） （−ｆ２）／ｆ３ ＝ 0.317
（５） ｜ｆｈ／ｆ１｜ ＝ 0.817(L11)
（６） νｄｈ４ ＝ 33.46(L407)
（７） νｄｐ１ ＝ 82.57(L12)
（８） νｄｐ４ ＝ 82.57(L401)
【００７３】
図８（ａ）、図８（ｂ）、及び図８（ｃ）はそれぞれ、本願の第４実施例に係る変倍光学系の広角端状態、中間焦点距離状態、及び望遠端状態における無限遠物体合焦時の諸収差図である。
【００７４】
各収差図より、本実施例に係る変倍光学系は、広角端状態から望遠端状態にわたって諸収差が良好に補正され、高い光学性能を有していることがわかる。
【００７５】
（第５実施例）
図９（ａ）、図９（ｂ）、及び図９（ｃ）はそれぞれ、本願の第５実施例に係る変倍光学系の広角端状態、中間焦点距離状態、及び望遠端状態における断面図である。
本実施例に係る変倍光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とから構成されている。
【００７６】
第１レンズ群Ｇ１は、物体側から順に、物体側に凸面を向けた負メニスカスレンズＬ１１と両凸形状の正レンズＬ１２との接合レンズと、物体側に凸面を向けた平凸形状の正レンズＬ１３とからなる。
第２レンズ群Ｇ２は、物体側から順に、物体側に凸面を向けた負メニスカスレンズＬ２１と、物体側に凹面を向けた負メニスカスレンズＬ２２と、両凸形状の正レンズＬ２３と物体側に凹面を向けた負メニスカスレンズＬ２４との接合レンズとからなる。なお、負メニスカスレンズＬ２１は物体側のガラス表面に設けた樹脂層を非球面形状に形成してなる複合型非球面レンズである。
第３レンズ群Ｇ３は、物体側から順に、物体側に凸面を向けた負メニスカスレンズＬ３１と両凸形状の正レンズＬ３２との接合レンズからなる。
【００７７】
第４レンズ群Ｇ４は、物体側から順に、両凸形状の正レンズＬ４０１と像側に凸面を向けた負メニスカスレンズＬ４０２との接合レンズと、物体側に凹面を向けた正メニスカスレンズＬ４０３と両凹形状の負レンズＬ４０４との接合レンズと、両凸形状の正レンズＬ４０５と、両凸形状の正レンズＬ４０６と両凹形状の負レンズＬ４０７との接合レンズと、両凸形状の正レンズＬ４０８と像側に凸面を向けた負メニスカスレンズＬ４０９との接合レンズと、物体側に凹面を向けた負メニスカスレンズＬ４１０とからなる。なお、負レンズＬ４０４は像側のレンズ面を非球面形状としたガラスモールド非球面レンズであり、負メニスカスレンズＬ４１０は像側のレンズ面を非球面形状としたガラスモールド非球面レンズである。
なお、本実施例に係る変倍光学系では、第４レンズ群Ｇ４と像面Ｉとの間に、ローパスフィルタやセンサ用カバーガラス等を配置してもよい。
【００７８】
以上の構成の下、本実施例に係る変倍光学系では、広角端状態から望遠端状態への変倍時に、第１レンズ群Ｇ１と第２レンズ群Ｇ２との空気間隔が増加し、第２レンズ群Ｇ２と第３レンズ群Ｇ３との空気間隔が減少し、第３レンズ群Ｇ３と第４レンズ群Ｇ４との空気間隔が広角端状態から中間焦点距離状態まで減少し中間焦点距離状態から望遠端状態まで増加し、開口絞りＳと第３レンズ群Ｇ３との空気間隔が広角端状態から中間焦点距離状態まで増加し中間焦点距離状態から望遠端状態まで減少するように、第１〜第４レンズ群Ｇ１〜Ｇ４が光軸に沿って物体側へそれぞれ移動し、開口絞りＳは第４レンズ群Ｇ４と一体的に移動する。
以下の表５に、本実施例に係る変倍光学系の諸元の値を掲げる。
【００７９】
（表５）第５実施例
[面データ]
面番号          ｒ        ｄ       ｎｄ     νｄ
物面           ∞
1         145.1831   1.7000   2.001000   29.14
2          36.6390   8.1000   1.497820   82.57
3        -399.3519   0.1000
4          43.2076   6.0000   1.883000   40.66
5            ∞       可変
＊6         436.5967   0.1000   1.553890   38.09
7          87.0031   1.1000   1.834810   42.73
8           8.3001   5.3500
9         -12.6073   1.0000   1.755000   52.34
10         -32.7993   0.8000
11          41.1197   2.9500   1.808090   22.74
12         -19.6043   0.9000   1.883000   40.66
13         -73.1316    可変
14(絞りS)     ∞       可変
15          22.3725   0.9000   1.902650   35.73
16          12.2299   3.4500   1.670030   47.14
17         -59.6992    可変
18          13.7390   3.6000   1.497820   82.57
19         -24.8201   0.9000   2.000690   25.46
20        -270.0138   2.2000
21        -117.0547   2.0500   1.846660   23.80
22         -15.9850   1.0000   1.773770   47.25
＊23          24.1750   2.0836
24          66.3654   2.8000   1.568830   56.00
25         -15.4473   0.1000
26          44.9939   2.7500   1.517420   52.20
27         -15.2012   0.9000   1.903660   31.27
28          29.9926   0.3000
29          14.6093   5.0500   1.672700   32.19
30          -9.1997   0.9000   2.000690   25.46
31         -24.3892   1.4000
32         -12.8617   1.0000   1.851350   40.10
＊33         -27.4946    ＢＦ
像面           ∞
［非球面データ］
第６面
κ    20.0000
A4     9.17458E-05
A6    -6.51986E-07
A8     2.69890E-09
A10   -1.23751E-11
第２３面
κ     0.4823
A4    -7.24815E-06
A6    -3.60139E-07
A8     4.05630E-09
A10    0.00000E+00
第３３面
κ   -20.0000
A4    -1.22780E-04
A6     8.28360E-07
A8    -6.05245E-09
A10   -9.88805E-11
［各種データ］
変倍比      9.42
Ｗ           Ｔ
ｆ         10.30   〜   96.99
ＦＮＯ      4.12   〜    5.81
ω         40.44   〜    4.73°
Ｙ          8.19   〜    8.19
Ｗ         Ｍ         Ｔ
ｆ         10.30260   30.00000   96.99284
ω         40.44283   14.85841    4.72723
ＦＮＯ      4.12       5.48       5.81
φ          8.12       8.12       9.70
ＴＬ      103.02710  121.37977  143.32397
d5          2.10606   20.13084   40.20889
d13        19.66416    6.24359    1.80000
d14         4.27874    4.97381    1.80000
d17         3.43763    2.74256    5.91637
ＢＦ       14.05688   27.80535   34.11509
［レンズ群データ］
群    始面        ｆ
1       1      64.09778
2       6     -10.16794
3      15      31.06055
4      18      67.05869
［条件式対応値］
（１） ｎｄｈ ＝ 2.001(L11)
（２） νｄｈ ＝ 29.14(L11)
（３） ｆ１／（−ｆ２） ＝ 6.31
（４） （−ｆ２）／ｆ３ ＝ 0.327
（５） ｜ｆｈ／ｆ１｜ ＝ 0.770(L11)
（７） νｄｐ１ ＝ 82.57(L12)
（８） νｄｐ４ ＝ 82.57(L401)
【００８０】
図１０（ａ）、図１０（ｂ）、及び図１０（ｃ）はそれぞれ、本願の第５実施例に係る変倍光学系の広角端状態、中間焦点距離状態、及び望遠端状態における無限遠物体合焦時の諸収差図である。
【００８１】
各収差図より、本実施例に係る変倍光学系は、広角端状態から望遠端状態にわたって諸収差が良好に補正され、高い光学性能を有していることがわかる。
【００８２】
上記各実施例によれば、小型で、高い光学性能を有する変倍光学系を実現することができる。なお、上記各実施例は本願発明の一具体例を示しているものであり、本願発明はこれらに限定されるものではない。以下の内容は、本願の変倍光学系の光学性能を損なわない範囲で適宜採用することが可能である。
【００８３】
本願の変倍光学系の数値実施例として４群構成のものを示したが、本願はこれに限られず、その他の群構成（例えば、５群、６群等）の変倍光学系を構成することもできる。具体的には、本願の変倍光学系の最も物体側や最も像側にレンズ又はレンズ群を追加した構成でも構わない。なお、レンズ群とは、変倍時に変化する空気間隔で分離された、少なくとも１枚のレンズを有する部分を示す。
【００８４】
また、本願の変倍光学系は、無限遠物体から近距離物体への合焦を行うために、レンズ群の一部、１つのレンズ群全体、或いは複数のレンズ群を合焦レンズ群として光軸方向へ移動させる構成としてもよい。特に、第２レンズ群の少なくとも一部又は第３レンズ群の少なくとも一部又は第４レンズ群の少なくとも一部を合焦レンズ群とすることが好ましい。また、斯かる合焦レンズ群は、オートフォーカスに適用することも可能であり、オートフォーカス用のモータ、例えば超音波モータ等による駆動にも適している。
【００８５】
また、本願の変倍光学系において、いずれかのレンズ群全体又はその一部を、防振レンズ群として光軸に対して垂直な方向の成分を含むように移動させ、又は光軸を含む面内方向へ回転移動（揺動）させることにより、手ぶれ等によって生じる像ぶれを補正する構成とすることもできる。特に、本願の変倍光学系では第３レンズ群の少なくとも一部又は第４レンズ群の少なくとも一部を防振レンズ群とすることが好ましい。
【００８６】
また、本願の変倍光学系を構成するレンズのレンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
【００８７】
また、本願の変倍光学系において開口絞りは第３レンズ群中又は第３レンズ群の近傍に配置されることが好ましく、開口絞りとして部材を設けずにレンズ枠でその役割を代用する構成としてもよい。
また、本願の変倍光学系を構成するレンズのレンズ面に、広い波長域で高い透過率を有する反射防止膜を施してもよい。これにより、フレアやゴーストを軽減し、高コントラストの高い光学性能を達成することができる。
【００８８】
次に、本願の変倍光学系を備えたカメラを図１１に基づいて説明する。
図１１は、本願の変倍光学系を備えたカメラの構成を示す図である。
図１１に示すようにカメラ１は、撮影レンズ２として上記第１実施例に係る変倍光学系を備えたレンズ交換式の所謂ミラーレスカメラである。
本カメラ１において、不図示の物体（被写体）からの光は、撮影レンズ２で集光されて、不図示のＯＬＰＦ（Optical low pass filter：光学ローパスフィルタ）を介して撮像部３の撮像面上に被写体像を形成する。そして、撮像部３に設けられた光電変換素子によって被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
また、撮影者によって不図示のレリーズボタンが押されると、撮像部３で生成された被写体の画像が不図示のメモリに記憶される。このようにして、撮影者は本カメラ１による被写体の撮影を行うことができる。
【００８９】
ここで、本カメラ１に撮影レンズ２として搭載した上記第１実施例に係る変倍光学系は、小型で、高い光学性能を有する変倍光学系である。したがって本カメラ１は、小型化を図りながら、高い光学性能を実現することができる。なお、上記第２〜第５実施例に係る変倍光学系を撮影レンズ２として搭載したカメラを構成しても、上記カメラ１と同様の効果を奏することができる。また、クイックリターンミラーを有し、ファインダ光学系によって被写体を観察する一眼レフタイプのカメラに上記各実施例に係る変倍光学系を搭載した場合でも、上記カメラ１と同様の効果を奏することができる。
【００９０】
最後に、本願の変倍光学系の製造方法の概略を図１２に基づいて説明する。
図１２に示す本願の変倍光学系の製造方法は、物体側から順に、正の屈折力を有する第１レンズ群と、負の屈折力を有する第２レンズ群と、正の屈折力を有する第３レンズ群と、正の屈折力を有する第４レンズ群とを有する変倍光学系の製造方法であって、以下のステップＳ１、Ｓ２を含むものである。
【００９１】
ステップＳ１：以下の条件式（１）、（２）を満足するレンズを変倍光学系が少なくとも１つ有するようにし、各レンズ群をレンズ鏡筒内に物体側から順に配置する。
（１）  １．９２８ ＜ ｎｄｈ
（２）  ２８．６０ ＜ νｄｈ
但し、
ｎｄｈ：前記レンズのｄ線（波長５８７．６ｎｍ）に対する屈折率
νｄｈ：前記レンズのｄ線（波長５８７．６ｎｍ）に対するアッベ数
【００９２】
ステップＳ２：レンズ鏡筒に公知の移動機構を設ける等することで、広角端状態から望遠端状態への変倍時に、第１レンズ群と第２レンズ群との間隔、第２レンズ群と第３レンズ群との間隔、及び第３レンズ群と第４レンズ群との間隔が変化するようにする。
【００９３】
斯かる本願の変倍光学系の製造方法によれば、小型で、高い光学性能を有する変倍光学系を製造することができる。
【符号の説明】
【００９４】
Ｇ１      第１レンズ群
Ｇ２      第２レンズ群
Ｇ３      第３レンズ群
Ｇ４      第４レンズ群
Ｇ４Ｆ    前群
Ｇ４Ｒ    後群
Ｓ        開口絞り
Ｉ        像面
【図１】
2020034955.tif 000003
【図２】
2020034955.tif 000004
【図３】
2020034955.tif 000005
【図４】
2020034955.tif 000006
【図５】
2020034955.tif 000007
【図６】
2020034955.tif 000008
【図７】
2020034955.tif 000009
【図８】
2020034955.tif 000010
【図９】
2020034955.tif 000011
【図１０】
2020034955.tif 000012
【図１１】
2020034955.tif 000013
【図１２】
2020034955.tif 000014